(57)【要約】      （修正有）【課題】操作者によるマウスを用いた作業内容をグラフ化して出力する。【解決手段】操作用端末１００は、操作者によるマウスの操作に関する操作情報を取得する操作情報取得手段と、マウスで取得された操作者の心拍数データと、操作情報取得手段によって取得された操作情報とを関連付けた作業情報を情報処理装置２００へ送信する作業情報送信手段と、操作者からの指示に基づいて、情報処理装置２００へ操作者によるマウスを用いた作業内容を示す作業報告の出力を指示する出力指示手段とを備える。【選択図】図１
2020064346.tif 000002
【特許請求の範囲】
【請求項１】
操作者の心拍数を計測可能なマウスが接続された操作用端末と、前記操作用端末から情報を受信して処理を実行する情報処理装置とで構成される情報処理システムであって、
前記操作用端末は、
操作者による前記マウスの操作に関する操作情報を取得する操作情報取得手段と、
前記マウスで取得された操作者の心拍数データと、前記操作情報取得手段によって取得された前記操作情報とを関連付けた作業情報を前記情報処理装置へ送信する作業情報送信手段と、
操作者からの指示に基づいて、前記情報処理装置へ操作者による前記マウスを用いた作業内容を示す作業報告の出力を指示する出力指示手段とを備え、
前記情報処理装置は、
前記操作用端末から前記作業情報を受信して記憶媒体に記録する記録手段と、
前記操作用端末から前記作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを、作業報告用グラフとして生成するグラフ生成手段と、
前記グラフ生成手段によって生成された前記作業報告用のグラフのデータを前記操作用端末へ送信するグラフ情報送信手段とを備えることを特徴とする情報処理システム。
【請求項２】
請求項１に記載の情報処理システムにおいて、
前記操作用端末は、前記情報処理装置から受信した前記作業報告用のグラフのデータに基づいて、表示装置に前記作業報告用のグラフを出力して表示するグラフ表示手段をさらに備えることを特徴とする情報処理システム。
【請求項３】
請求項１または２に記載の情報処理システムにおいて、
前記出力指示手段は、操作者からグラフの出力対象とする期間の指定も受け付け、
前記グラフ生成手段は、前記記憶媒体に記録されている前記作業情報のうち、指定された期間のデータを対象として、前記作業報告用のグラフを生成することを特徴とする情報処理システム。
【請求項４】
請求項１〜３のいずれか一項に記載の情報処理システムにおいて、
前記心拍グラフは、計測開始時の心拍数、計測終了時の心拍数、心拍数の最大値、心拍数の最小値を日ごとに表示したグラフであることを特徴とする情報処理システム。
【請求項５】
請求項１〜４のいずれか一項に記載の情報処理システムにおいて、
前記クリックグラフは、前記マウスが備える各ボタンのクリック数と、全ボタンのクリック数の合計を日ごと集計して表示したグラフであることを特徴とする情報処理システム。
【請求項６】
請求項１〜５のいずれか一項に記載の情報処理システムにおいて、
前記カーソルグラフは、画面上でのマウスカーソルの移動距離を日ごと集計して表示したグラフであることを特徴とする情報処理システム。
【請求項７】
請求項１〜６のいずれか一項に記載の情報処理システムにおいて、
前記グラフ生成手段は、前記心拍グラフ、前記クリックグラフ、前記カーソルグラフのうち、操作者によって選択された１つのグラフを生成することを特徴とする情報処理システム。
【請求項８】
操作者の心拍数を計測可能なマウスが接続された操作用端末から、操作者による前記マウスの操作に関する操作情報と、前記マウスで取得された操作者の心拍数データとを関連付けた作業情報を受信して記憶媒体に記録する記録手段と、
前記操作用端末から前記作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、
前記グラフ生成手段によって生成された前記作業報告用のグラフのデータを前記操作用端末へ送信するグラフ情報送信手段とを備えることを特徴とする情報処理装置。
【請求項９】
請求項８に記載の情報処理装置において、
前記グラフ生成手段は、前記記憶媒体に記録されている前記作業情報のうち、操作者によって指定された期間のデータを対象として、前記作業報告用のグラフを生成することを特徴とする情報処理装置。
【請求項１０】
請求項８または９に記載の情報処理装置において、
前記心拍グラフは、計測開始時の心拍数、計測終了時の心拍数、心拍数の最大値、心拍数の最小値を日ごとに表示したグラフであることを特徴とする情報処理装置。
【請求項１１】
請求項８〜１０のいずれか一項に記載の情報処理装置において、
前記クリックグラフは、前記マウスが備える各ボタンのクリック数と、全ボタンのクリック数の合計を日ごと集計して表示したグラフであることを特徴とする情報処理装置。
【請求項１２】
請求項８〜１１のいずれか一項に記載の情報処理装置において、
前記カーソルグラフは、画面上でのマウスカーソルの移動距離を日ごと集計して表示したグラフであることを特徴とする情報処理装置。
【請求項１３】
請求項８〜１２のいずれか一項に記載の情報処理装置において、
前記グラフ生成手段は、前記心拍グラフ、前記クリックグラフ、前記カーソルグラフのうち、操作者によって選択された１つのグラフを生成することを特徴とする情報処理装置。
【請求項１４】
操作者の心拍数を計測可能なマウスが接続された操作用端末から、操作者による前記マウスの操作に関する操作情報と、前記マウスで取得された操作者の心拍数データとを関連付けた作業情報を受信して記憶媒体に記録する記録手順と、
前記操作用端末から前記作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手順と、
前記グラフ生成手順で生成した前記作業報告用のグラフのデータを前記操作用端末へ送信するグラフ情報送信手順とをコンピュータに実行させるための情報処理プログラム。
【請求項１５】
請求項１４に記載の情報処理プログラムにおいて、
前記グラフ生成手順は、前記記憶媒体に記録されている前記作業情報のうち、操作者によって指定された期間のデータを対象として、前記作業報告用のグラフを生成することを特徴とする情報処理プログラム。
【請求項１６】
請求項１４または１５に記載の情報処理プログラムにおいて、
前記心拍グラフは、計測開始時の心拍数、計測終了時の心拍数、心拍数の最大値、心拍数の最小値を日ごとに表示したグラフであることを特徴とする情報処理プログラム。
【請求項１７】
請求項１４〜１６のいずれか一項に記載の情報処理プログラムにおいて、
前記クリックグラフは、前記マウスが備える各ボタンのクリック数と、全ボタンのクリック数の合計を日ごと集計して表示したグラフであることを特徴とする情報処理プログラム。
【請求項１８】
請求項１４〜１７のいずれか一項に記載の情報処理プログラムにおいて、
前記カーソルグラフは、画面上でのマウスカーソルの移動距離を日ごと集計して表示したグラフであることを特徴とする情報処理プログラム。
【請求項１９】
請求項１４〜１８のいずれか一項に記載の情報処理プログラムにおいて、
前記グラフ生成手順は、前記心拍グラフ、前記クリックグラフ、前記カーソルグラフのうち、操作者によって選択された１つのグラフを生成することを特徴とする情報処理プログラム。
【発明の詳細な説明】
【技術分野】
【０００１】
本発明は、情報処理システム、情報処理装置、および情報処理プログラムに関する。
【背景技術】
【０００２】
次のようなライフログ情報分析装置が知られている。この装置では、単位時間当たりのキーボードの打鍵数と単位時間当たりのマウスクリック数を収集して、多様な行動特性を有するユーザを抽出する（例えば、特許文献１）。
【先行技術文献】
【特許文献】
【０００３】
【特許文献１】特開２０１５−２２７１５号公報
【発明の概要】
【発明が解決しようとする課題】
【０００４】
近年、心拍数を計測するためのセンサを搭載したウェアラブル端末などが登場しているが、パソコンなどの端末をマウスを用いて操作する際には、操作者は常にマウスを把持しているため、マウスにセンサを搭載すれば、端末操作中の操作者の心拍数を計測することが可能となる。また、マウスを用いた操作では、操作者はクリックやマウスカーソルの移動などの動作を組み合わせて端末を操作するため、操作者による端末操作中のマウス操作の状況と端末操作中の操作者の心拍数を取得して出力することができれば、端末操作中の操作者の作業状況を分析することが可能となる。しかしながら、操作者による端末操作中のマウス操作状況と端末操作中の操作者の心拍数を取得して出力するための技術については、何ら検討されていなかった。
【課題を解決するための手段】
【０００５】
本発明による情報処理システムは、操作者の心拍数を計測可能なマウスが接続された操作用端末と、操作用端末から情報を受信して処理を実行する情報処理装置とで構成される情報処理システムであって、操作用端末は、操作者によるマウスの操作に関する操作情報を取得する操作情報取得手段と、マウスで取得された操作者の心拍数データと、操作情報取得手段によって取得された操作情報とを関連付けた作業情報を情報処理装置へ送信する作業情報送信手段と、操作者からの指示に基づいて、情報処理装置へ操作者によるマウスを用いた作業内容を示す作業報告の出力を指示する出力指示手段とを備え、情報処理装置は、操作用端末から作業情報を受信して記憶媒体に記録する記録手段と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、グラフ生成手段によって生成された作業報告用のグラフのデータを操作用端末へ送信するグラフ情報送信手段とを備えることを特徴とする。
本発明による情報処理装置は、操作者の心拍数を計測可能なマウスが接続された操作用端末から、操作者によるマウスの操作に関する操作情報と、マウスで取得された操作者の心拍数データとを関連付けた作業情報を受信して記憶媒体に記録する記録手段と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、グラフ生成手段によって生成された作業報告用のグラフのデータを操作用端末へ送信するグラフ情報送信手段とを備えることを特徴とする。
本発明による情報処理プログラムは、操作者の心拍数を計測可能なマウスが接続された操作用端末から、操作者によるマウスの操作に関する操作情報と、マウスで取得された操作者の心拍数データとを関連付けた作業情報を受信して記憶媒体に記録する記録手順と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１ちを作業報告用グラフとして生成するグラフ生成手順と、グラフ生成手順で生成した作業報告用のグラフのデータを操作用端末へ送信するグラフ情報送信手順とをコンピュータに実行させることを特徴とする。
【発明の効果】
【０００６】
本発明によれば、操作者の心拍数の変動状況を示す心拍グラフ、操作者のクリック数の変動状況を示すクリックグラフ、マウスカーソル移動距離の変動状況を示すカーソルグラフの少なくとも１つを生成することができるため、操作者による端末操作中のマウス操作状況と端末操作中の操作者の心拍数をグラフ化して出力することができる。
【図面の簡単な説明】
【０００７】
【図１】情報処理システム１０の一実施の形態の構成を示すブロック図である。
【図２】操作用端末１００の一実施の形態の構成を示すブロック図である。
【図３】情報処理装置２００の一実施の形態の構成を示すブロック図である。
【図４】心拍グラフの一例を示す図である。
【図５】クリックグラフの一例を示す図である。
【図６】カーソルグラフの一例を示す図である。
【図７】操作用端末１００で実行される作業情報送信処理の流れを示すフローチャート図である。
【図８】操作用端末１００で実行される作業報告用グラフ表示処理の流れを示すフローチャート図である。
【図９】情報処理装置２００で実行される作業情報記録処理の流れを示すフローチャート図である。
【図１０】情報処理装置２００で実行される作業報告用グラフ出力処理の流れを示すフローチャート図である。
【発明を実施するための形態】
【０００８】
図１は、本実施の形態における情報処理システム１０の一実施の形態の構成を示すブロック図である。情報処理システム１０では、操作者の心拍数を計測可能なマウスが接続された操作用端末１００と、操作用端末１００から情報を受信して処理を実行する情報処理装置２００とが通信回線を介して接続されている。
【０００９】
操作用端末１００は、操作者がマウスを用いて操作な端末装置、例えばパソコンなどが用いられる。図２は、本実施の形態における操作用端末１００として、パソコンを用いた場合の一実施の形態の構成を示すブロック図である。
【００１０】
操作用端末１００は、操作部材接続用インターフェース１０１と、通信用インターフェース１０２と、制御装置１０３と、記憶媒体１０４と、表示装置１０５とを備えている。
【００１１】
操作部材接続用インターフェース１０１は、操作用端末１００の操作者によって操作される種々の装置、例えばキーボードやマウスを接続するためのインターフェースである。本実施の形態では、操作部材接続用インターフェース１０１に、操作者の心拍数を計測可能なマウスが接続される。なお、操作者の心拍数を計測可能なマウスは、マウスを把持した操作者の心拍数を計測するためのセンサが搭載された公知のものを用いることとし、ここでは詳細な説明を省略する。
【００１２】
通信用インターフェース１０２は、操作用端末１００が通信回線を介して他の装置や端末等の外部機器と通信するためのインターフェースである。例えば、通信用インターフェース１０２には、ＬＡＮやインターネット等の通信回線に接続するためのインターフェースが含まれる。操作用端末１００は、この通信用インターフェース１０２を介して情報処理装置２００と通信を行う。
【００１３】
制御装置１０３は、ＣＰＵ、メモリ、およびその他の周辺回路によって構成され、操作用端末１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、通信用インターフェース１０２を介して読み込まれたデータは、バッファメモリに一時的に記録される。
【００１４】
記憶媒体１０４は、操作用端末１００が蓄える種々のデータや、制御装置１０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体１０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体１０４にインストールすることによって、制御装置１０３がプログラムを実行できるようになる。
【００１５】
表示装置１０５は、例えば液晶モニタであって、制御装置１０３から出力される種々の表示用データが表示される。
【００１６】
情報処理装置２００は、インターネットに接続された装置であって、例えば、パソコンやサーバなどが用いられる。図３は、本実施の形態における情報処理装置２００として、サーバ装置を用いた場合の一実施の形態の構成を示すブロック図である。情報処理装置２００は、通信用インターフェース２０１と、制御装置２０２と、記憶媒体２０３とを備えている。
【００１７】
通信用インターフェース２０１は、情報処理装置２００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、情報処理装置２００は、この通信用インターフェース２０１を介して操作用端末１００と通信する。
【００１８】
制御装置２０２は、ＣＰＵ、メモリ、およびその他の周辺回路によって構成され、情報処理装置２００の全体を制御する。なお、制御装置２０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、通信用インターフェース２０１を介して読み込まれたデータは、バッファメモリに一時的に記録される。
【００１９】
記憶媒体２０３は、情報処理装置２００が蓄える種々のデータや、制御装置２０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体２０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体２０３にインストールすることによって、制御装置２０２がプログラムを実行できるようになる。
【００２０】
本実施の形態における情報処理システム１０では、操作用端末１００で、マウスからの出力に基づいて操作者の心拍数と操作者によるマウスの操作内容を特定し、情報処理装置２００において、操作者の心拍数データと、操作者によるマウスの操作内容を示す操作情報に基づいて、操作者のマウス使用中の心拍数の変動を示すグラフ、操作者のマウス使用中のクリック数の変動を示すグラフ、操作者のマウス使用中のマウスカーソルの移動距離を示すグラフの少なくとも１つを生成して、操作用端末１００へ出力するための処理を実行する。以下、本実施の形態における情報処理システム１０における処理について説明する。
【００２１】
操作用端末１００では、あらかじめ情報処理システム１０を利用するために必要な情報の登録が行われる。以下、事前に登録される情報について説明する。
【００２２】
操作者は、自身に関する情報を入力してユーザ登録を行う。制御装置１０３は、操作者によってユーザ登録の開始が指示されると、表示装置１０５に操作者に関する情報を入力するためのユーザ登録画面を表示し、操作者からの情報の入力を受け付ける。操作者は、氏名、フリガナ、メールアドレス、郵便番号、住所、会社名または学校名、電話番号、性別、生年月日、業種、職種などの自身に関する情報をユーザ情報として入力する。このとき、例えば、氏名、フリガナ、メールアドレス、郵便番号、電話番号を必須項目とし、それ以外は任意項目として、必須項目のみの入力でもユーザ登録が可能なようにしてもよい。なお、上記の入力情報は一例であって、ユーザ情報として入力する情報は上記内容に限定されない。
【００２３】
制御装置１０３は、ユーザ登録画面上でユーザ情報が入力されて、操作者によってユーザ情報の登録が指示されると、ユーザ登録画面上で入力されたユーザ情報を情報処理装置２００へ送信する。
【００２４】
情報処理装置２００では、制御装置２０２は、操作用端末１００からユーザ情報を受信すると、受信したユーザ情報を記憶媒体２０３に記録する。例えば、記憶媒体２０３には、ユーザ情報を格納するためのデータベースとしてユーザーテーブルが用意されており、制御装置２０２は、このユーザーテーブルに操作用端末１００から受信したユーザ情報を追加してテーブルを更新する。
【００２５】
操作者は、操作用端末１００の使用環境などに関する基本情報を入力して基本情報の登録を行う。制御装置１０３は、操作者によって基本情報登録の開始が指示されると、表示装置１０５に基本情報を入力するための基本情報登録画面を表示し、操作者からの情報の入力を受け付ける。本実施の形態では、基本情報には、使用ＰＣの環境、操作者の目標心拍数、マウスカーソルの形状と速さの情報が含まれる。なお、本実施の形態では、使用ＰＣは操作用端末１００となる。
【００２６】
使用ＰＣの環境としては、使用機の種別、画面サイズ、ＰＣを使用しない曜日、ＰＣを使用する時間帯を入力する。使用機の種別は、例えば、基本情報登録画面上に、デスクトップ、ノートタイプ、タブレット、その他の項目が表示されており、操作者は、その中から操作用端末１００に合ったものを選択する。画面サイズは、例えば、基本情報登録画面上に、１５インチ以上、１０〜１５インチ、１０インチ以下、その他の項目が表示されており、操作者は、その中から表示装置１０５の画面サイズに合ったものを選択する。ＰＣを使用しない曜日は、例えば、基本情報登録画面上に、日曜、月曜、火曜、水曜、木曜、金曜、土曜、祝日の各項目が表示されており、その中からＰＣを使用しない曜日、例えば休日を選択する。ＰＣを使用する時間帯は、例えば、基本情報登録画面上に、開始時間と終了時間を入力する入力欄が設けられており、該入力欄に開始時間と終了時間を入力することにより、ＰＣを使用する時間帯を指定する。例えば、企業においては、ＰＣを使用しない曜日で日曜、土曜、祝日を休日に指定した上で、ＰＣを使用する時間帯に就業開始時間と就業終了時間を入力すれば、従業員である操作者のＰＣを使用しない曜日とＰＣを使用する時間帯を指定することができる。
【００２７】
操作者の目標心拍数は、基本情報登録画面上で操作者の年齢、安静時の心拍数、運動強度の入力を受け付け、入力された情報に基づいて算出される。運動強度には、操作者の通常の運動時のレベルとして、例えば「５０％（中程度の運動）」などが指定される。制御装置１０３は、これらの情報が入力されると、あらかじめ設定されている計算式を用いて、操作者の目標心拍数を計算し、基本情報登録画面上に表示する。
【００２８】
マウスカーソルの形状と速さは、基本情報登録画面上にマウスのプロパティを表示させ、該プロパティ上で、画面上でのマウスカーソルの形状とマウスカーソルの移動速度の指定を受け付ける。なお、マウスのプロパティは、操作用端末１００のオペレーションシステムによって提供されるものを用いてもよいし、情報処理システム１０のために用意された専用のものを用いてもよい。
【００２９】
制御装置１０３は、基本情報登録画面上で基本情報が入力されて、操作者によって基本情報の登録が指示されると、基本情報登録画面上で入力された基本情報を情報処理装置２００へ送信する。
【００３０】
情報処理装置２００では、制御装置２０２は、操作用端末１００から基本情報を受信すると、受信した基本情報を記憶媒体２０３に記録する。例えば、記憶媒体２０３には、基本情報を格納するためのデータベースとして基本情報テーブルが用意されており、制御装置２０２は、この基本情報テーブルに操作用端末１００から受信した基本情報を追加してテーブルを更新する。
【００３１】
なお、上述した基本情報情報登録画面は、一画面で構成してもよいし、使用ＰＣの環境、操作者の目標心拍数、マウスカーソルの形状と速さのそれぞれを入力する画面を個別に用意してもよい。
【００３２】
操作用端末１００では、制御装置１０３は、操作者によるマウスを用いた作業内容の記録開始が指示されると、マウスからの出力に基づいて、操作者の心拍数の情報と、操作者のマウス操作に関する情報の取得を開始する。なお、操作者によるマウスを用いた作業内容の記録開始の指示は、操作者が記録開始を指示してもよいし、操作用端末１００が起動したタイミングで自動的に指示を行うようにしてもよい。
【００３３】
操作者の心拍数の情報は、測定日時を示す測定日付時間と心拍数のデータを含む。本実施の形態では、例えばマウスが1秒間隔で直近１秒間の心拍数を計測して出力するものとすると、２０１８年１月１日の１２：００〜１２：０１の間の心拍数が６０である場合には、制御装置１０３は、操作者の心拍数の情報として、「測定日付時間＝２０１８０１０１  １２：００，心拍数＝６０」という情報を取得する。また、２０１８年１月１日の１２：０１〜１２：０２の間の心拍数が６３である場合には、制御装置１０３は、操作者の心拍数の情報として、「測定日付時間＝２０１８０１０１  １２：０１，心拍数＝６３」という情報を取得する。
【００３４】
操作者のマウス操作に関する情報は、測定日付時間とマウスボタンの操作回数とマウスカーソルの移動距離のデータを含む。本実施の形態では、制御装置１０３は、マウスのホイールが操作された回数とマウスボタンがクリックされた回数とマウスカーソルの移動距離のログをとっておき、１時間ごとに直近１時間分のマウスボタンのクリック回数とマウスカーソルの移動距離を集計して取得するものとする。例えば、２０１８年１月１日の１１：００〜１２：００の間は、マウスが操作されておらず、ホイール操作回数が０回、左クリック回数が０回、右クリック回数が０回、カーソルの移動距離が０ピクセルである場合は、制御装置１０３は、操作者のマウス操作に関する情報として、「測定日付時間＝２０１８０１０１  １１：００，ホイール：０，左クリック：0，右クリック：０，移動：０」という情報を取得する。また、２０１８年１月１日の１２：００〜１３：００の間は、ホイール操作回数が０回、左クリック回数が５２４回、右クリック回数が１４回、カーソルの移動距離が４０５７８７ピクセルである場合は、制御装置１０３は、操作者のマウス操作に関する情報として、「測定日付時間＝２０１８０１０１  １２：００，ホイール：０，左クリック：５２４，右クリック：１４，移動：４０５７８７」という情報を取得する。また、２０１８年１月１日の１３：００〜１４：００の間は、ホイール操作回数が０回、左クリック回数が４７８回、右クリック回数が５４回、カーソルの移動距離が３５５５１４ピクセルである場合は、制御装置１０３は、操作者のマウス操作に関する情報として、「測定日付時間＝２０１８０１０１  １３：００，ホイール：０，左クリック：４７８，右クリック：５４，移動：３５５５１４」という情報を取得する。
【００３５】
なお、ここでは、マウスがホイールと右ボタンと左ボタンを備える場合を想定して、操作者のマウス操作に関する情報としてホイール操作回数と左クリック回数と右クリック回数とカーソル移動距離を取得する例について説明したが、マウスが他のボタン、例えばサイドボタンなどを含む場合には、操作者のマウス操作に関する情報に、サイドボタンのクリック回数を含めるようにすればよい。
【００３６】
制御装置１０３は、操作用端末１００がシャットダウンされるまで、または操作者によるマウスを用いた作業内容の記録終了が指示されるまでの間、操作者の心拍数の情報と操作者のマウス操作に関する情報の取得を継続する。そして、制御装置１０３は、あらかじめ設定された所定のタイミングで、操作者の心拍数の情報と操作者のマウス操作に関する情報とを情報処理装置２００へ送信する。情報を情報処理装置２００へ送信するタイミングは特に限定されないが、例えば、操作用端末１００が起動したときに、前回の起動中に取得した情報を一括して送信するようにしてもよいし、操作用端末１００がシャットダウンするときに、起動からシャットダウンまでの間に取得した情報を一括して送信してもよい。
【００３７】
本実施の形態では、制御装置１０３は、操作者の心拍数の情報と操作者のマウス操作に関する情報とを情報処理装置２００へ送信する際に、これらの情報に操作者を一意に特定するためのユーザ特定用情報を付加して、操作者の心拍数の情報と操作者のマウス操作に関する情報とユーザ特定用情報とを関連付けた操作者の作業情報を送信する。操作者を一意に特定するための情報としては、例えば、操作者には、あらかじめ発行したユーザＩＤを用いてもよいし、ユーザ情報に含めて登録したメールアドレスを用いてもよい。
【００３８】
情報処理装置２００では、制御装置２０２は、操作用端末１００から作業情報を受信した場合には、受信した作業情報を記憶媒体２０３に記録する。例えば、記憶媒体２０３には、作業情報を格納するためのデータベースとして作業情報テーブルが用意されており、制御装置２０２は、この作業情報テーブルに操作用端末１００から受信した作業情報を追加してテーブルを更新する。
【００３９】
操作者は、操作用端末１００を操作して、作業情報テーブルに記録されている作業情報に基づいて自身のマウスを用いた作業内容をグラフ化した作業報告の表示を指示することができる。このとき、操作者は、心拍数の変動状況を示す心拍グラフ、クリック数の変動状況をクリックグラフ、カーソル移動距離の変動状況を示すカーソルグラフのいずれかからグラフの種類を選択する。また、グラフの出力対象とする開始日時と終了日時を指定することにより、グラフの出力期間を指定することができる。
【００４０】
制御装置１０３は、操作者によって作業報告の表示が指示されると、情報処理装置２００へ、操作者を特定するためのユーザ特定用情報と、グラフの種類を示す情報と、グラフ出力期間を示す情報とを送信して、作業報告の出力を指示する。
【００４１】
情報処理装置２００では、制御装置２０２は、操作用端末１００から作業報告の出力が指示されると、以下に説明する処理を実行して、作業報告用のグラフを生成する。
【００４２】
制御装置２０２は、出力が指示されたグラフの種類が心拍グラフである場合は、記憶媒体２０３に記録された作業情報テーブルから、ユーザ特定用情報が一致する操作者の心拍数の情報を読み出して、指定されたグラフの出力期間を対象として図４に示すような心拍グラフを生成する。本実施の形態では、心拍グラフは、計測開始時の心拍数、計測終了時の心拍数、心拍数の最大値、心拍数の最小値を日ごとに表示したグラフとする。
【００４３】
図４においては、横軸が日付で縦軸は心拍数となっている。なお、図４では、株価チャートにおけるローソク足と同じ形式で各日の心拍数の変動状況を表している。すなわち、長方形の胴体部分が白色である場合は、その日の計測開始時の心拍数４ａよりも計測終了時の心拍数４ｂが高いことを示している。また、長方形の胴体部分が黒色である場合は、その日の計測開始時の心拍数４ａよりも計測終了時の心拍数４ｂが低いことを示している。また、胴体部分から上に伸びる直線の上端値４ｃはその日の最も高い心拍数を示し、胴体部分から下に伸びる直線の下端値４ｄはその日の最も低い心拍数を示している。これによって、操作者は、日ごとの自身の計測開始時の心拍数、計測終了時の心拍数、心拍数の最大値、心拍数の最小値を把握するとともに、日ごとの心拍数の変化状況を把握することができる。
【００４４】
制御装置２０２は、出力が指示されたグラフの種類がクリックグラフである場合は、記憶媒体２０３に記録された作業情報テーブルから、ユーザ特定用情報が一致する操作者のマウス操作に関する情報を読み出して、指定されたグラフの出力期間を対象として図５に示すようなクリックグラフを生成する。本実施の形態では、クリックグラフは、マウスが備える各ボタンのクリック数と、全ボタンのクリック数の合計を日ごとに集計して表示したグラフとする。
【００４５】
図５においては、横軸が日付で縦軸はクリック数となっている。なお、図５では、積み上げ棒グラフとなっており、下から順に右クリック数、左クリック数、右クリックと左クリックの合計となっている。これによって、操作者は、日ごとの自身のクリック数の変化状況を把握することができる。
【００４６】
制御装置２０２は、出力が指示されたグラフの種類がカーソルグラフである場合は、記憶媒体２０３に記録された作業情報テーブルから、ユーザ特定用情報が一致する操作者のマウス操作に関する情報を読み出して、指定されたグラフの出力期間を対象として図６に示すようなカーソルグラフを生成する。本実施の形態では、カーソルグラフは、画面上でのマウスカーソルの移動距離を日ごとに集計して表示したグラフとする。
【００４７】
図６においては、横軸が日付で縦軸はカーソルの移動距離となっており、グラフ５ａがカーソルの移動距離を示している。なお、図６においては、操作者によるマウスの利用時間を示すグラフ５ｂも表示されている。マウスの利用時間は、例えば、操作用端末１００が起動されてからシャットダウンされるまでの間の時間としてもよいし、実際にマウスが操作された時間を計時してグラフ５ｂで表すようにしてもよい。
【００４８】
制御装置２０２は、生成した作業報告用グラフのデータを操作用端末１００へ送信する。操作用端末１００では、制御装置１０３は、情報処理装置２００から作業報告用グラフのデータを受信すると、作業報告用グラフを表示装置１０５へ表示する。これによって、操作者は自身の作業内容を示した作業報告グラフを閲覧することができる。また、操作者は、図４から図６に示したグラフ上に表示されている印刷ボタンをクリックすることによって、表示されたグラフを印刷することもできる。
【００４９】
図７は、本実施の形態における操作用端末１００で実行される作業情報送信処理の流れを示すフローチャートである。図７に示す処理は、上述したように、操作者の心拍数の情報と操作者のマウス操作に関する情報とを情報処理装置２００へ送信するタイミングにおいて起動するプログラムとして、制御装置１０３によって実行される。なお、上述したユーザーテーブルへのユーザー情報の登録と基本情報テーブルへの基本情報の登録は、あらかじめ行われているものとする。
【００５０】
ステップＳ１０において、制御装置１０３は、操作者の心拍数の情報と操作者のマウス操作に関する情報とユーザ特定用情報とを関連付けた操作者の作業情報を情報処理装置２００へ送信する。その後、処理を終了する。
【００５１】
図８は、本実施の形態における操作用端末１００で実行される作業報告用グラフ表示処理の流れを示すフローチャートである。図８に示す処理は、操作者によって、グラフの種類とグラフの出力期間が指定されて作業報告の表示が指示されると起動するプログラムとして、制御装置１０３によって実行される。
【００５２】
ステップＳ１１０において、制御装置１０３は、上述したように、操作者を特定するためのユーザ特定用情報と、グラフの種類を示す情報と、グラフ出力期間を示す情報とを情報処理装置２００とを送信して、作業報告の出力を指示する。その後、ステップＳ１２０へ進む。
【００５３】
ステップＳ１２０では、制御装置１０３は、情報処理装置２００から上述した作業報告用グラフのデータを受信したか否かを判断する。ステップＳ１２０で肯定判断した場合には、ステップＳ１３０へ進む。
【００５４】
ステップＳ１３０では、制御装置１０３は、情報処理装置２００から受信した作業報告用グラフを表示装置１０５へ表示する。その後、処理を終了する。
【００５５】
図９は、本実施の形態における情報処理装置２００で実行される作業情報記録処理の流れを示すフローチャートである。図９に示す処理は、上述したように、操作用端末１００から上述した作業情報を受信すると起動するプログラムとして、制御装置２０２によって実行される。
【００５６】
ステップＳ２１０において、制御装置２０２は、上述したように、操作用端末１００から受信した作業情報を作業情報テーブルに追加してテーブルを更新することにより、受信した作業情報を記憶媒体２０３に記録する。その後、処理を終了する。
【００５７】
図１０は、本実施の形態における情報処理装置２００で実行される作業報告用グラフ出力処理の流れを示すフローチャートである。図１０に示す処理は、上述したように、操作用端末１００から作業報告の出力が指示されると起動するプログラムとして、制御装置２０２によって実行される。
【００５８】
ステップＳ３１０において、制御装置２０２は、上述したように、操作者によって指定されたグラフの種類に応じたグラフ生成のための処理を行って、指定されたグラフの出力期間を対象とした作業報告用グラフを生成する。その後、ステップＳ３２０へ進む。
【００５９】
ステップＳ３２０では、制御装置２０２は、生成した作業報告用グラフのデータを操作用端末１００へ送信する。その後、処理を終了する。
【００６０】
以上説明した実施の形態によれば、以下のような作用効果を得ることができる。
（１）操作用端末１００では、制御装置１０３は、操作者によるマウスの操作に関する操作情報を取得し、マウスで取得された操作者の心拍数データと操作情報とを関連付けた作業情報を情報処理装置へ送信し、操作者からの指示に基づいて、情報処理装置２００へ操作者によるマウスを用いた作業内容を示す作業報告の出力を指示するようにした。また、情報処理装置２００では、制御装置２０２は、操作用端末１００から作業情報を受信して記憶媒体２０３に記録し、操作用端末１００から作業報告の出力が指示されたときに、記憶媒体２０３に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを、操作者によるマウスを用いた作業内容をグラフ化した作業報告用グラフとして生成し、作業報告用のグラフのデータを操作用端末１００へ送信するようにした。これによって、操作者による端末操作中のマウス操作状況と端末操作中の操作者の心拍数をグラフ化して出力することができ、心拍数を計測可能なマウスを用いた操作者の作業状況の分析を支援することができる。
【００６１】
（２）制御装置１０３は、情報処理装置２００から受信した作業報告用のグラフのデータに基づいて、表示装置１０５に作業報告用のグラフを出力して表示するようにした。これによって、操作者は、マウス操作中の心拍数の変動状況、クリック数の変動状況、マウスカーソルの移動距離を視覚的に把握することができる。
【００６２】
（３）制御装置１０３は、操作者からグラフの出力対象とする期間の指定も受け付け、制御装置２０２は、記憶媒体２０３に記録されている作業情報のうち、指定された期間のデータを対象として、作業報告用のグラフを生成するようにした。これによって、操作者は、一定の期間を指定して、その期間を対象とした作業報告用グラフの出力を指示することができる。
【００６３】
（４）心拍グラフは、計測開始時の心拍数、計測終了時の心拍数、心拍数の最大値、心拍数の最小値を日ごとに表示したグラフとした。これによって、操作者は、日ごとに変動する計測開始時の心拍数、計測終了時の心拍数、心拍数の最大値、心拍数の最小値の状況をグラフ上で確認することができる。
【００６４】
（５）クリックグラフは、マウスが備える各ボタンのクリック数と、全ボタンのクリック数の合計を日ごと集計して表示したグラフとした。これによって、操作者は、日ごとに変動する各ボタンのクリック数と全ボタンのクリック数の合計の状況をグラフ上で確認することができる。
【００６５】
（６）カーソルグラフは、画面上でのマウスカーソルの移動距離を日ごと集計して表示したグラフとした。これによって、操作者は、日ごとに変動するマウスカーソルの移動距離の状況をグラフ上で確認することができる。
【００６６】
―変形例―
なお、上述した実施の形態の情報処理システムは、以下のように変形することもできる。
（１）上述した実施の形態において、ユーザ情報に含まれる各項目のうち、マスターデータを登録可能なものは、事前にマスターデータを登録をしておき、その中から情報を選択できるようにしてもよい。例えば、ユーザ情報に含まれる職種は、情報処理装置２００の記憶媒体２０３に用意された職種マスターに登録しておき、操作用端末１００では、制御装置１０３は、職種マスターからデータを取得して表示することにより、操作者がマスターに登録されているデータの中から職種を選べるようにしてもよい。同様に、ユーザ情報に含まれる業種は、業種マスターに登録しておくようにしてもよい。
【００６７】
（２）上述した実施の形態では、操作者は、作業報告の表示を指示する際に、グラフの種類を操作者の心拍数の変動状況を示す心拍グラフ、操作者のクリック数の変動状況を示すクリックグラフ、マウスカーソル移動距離の変動状況を示すカーソルグラフの中から１つを選択できるものとし、制御装置２０２は、選択された種類のグラフを生成するようにした。しかしながら、操作者は、心拍グラフ、クリックグラフ、カーソルグラフの中から複数を選択できるように、制御装置２０２は、複数のグラフが選択された場合には、それらのグラフを生成するようにしてもよい。
【００６８】
（３）上述した実施の形態では、操作者は、作業報告の表示を指示する際に、グラフの種類とグラフの出力期間を指定することができる例について説明した。このとき、操作者は、比較対象を指定して、自身の情報に基づくグラフと、他のグラフとを比較するように指定することができるようにしてもよい。例えば、比較対象としては、年代、企業内、業種、職種などを指定できるようにすればよい。情報処理装置２００の制御装置２０２は、比較対象として年代が指定された場合には、操作者と同年代の他の人物を対象とした作業報告用グラフも生成して、操作者の作業報告用グラフと比較可能なかたちでグラフを出力すればよい。制御装置２０２は、比較対象として企業内が指定された場合には、操作者と同じ会社に所属する他の人物を対象とした作業報告用グラフも生成して、操作者の作業報告用グラフと比較可能なかたちでグラフを出力すればよい。制御装置２０２は、比較対象として職種が指定された場合には、操作者と同じ職種の他の人物を対象とした作業報告用グラフも生成して、操作者の作業報告用グラフと比較可能なかたちでグラフを出力すればよい。制御装置２０２は、比較対象として業種が指定された場合には、操作者と同じ業種の他の人物を対象とした作業報告用グラフも生成して、操作者の作業報告用グラフと比較可能なかたちでグラフを出力すればよい。
【００６９】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００７０】
１０  情報処理システム
１００  操作用端末
１０１  操作部材接続用インターフェース
１０２  通信用インターフェース
１０３  制御装置
１０４  記憶媒体
１０５  表示装置
２００  情報処理装置
２０１  通信用インターフェース
２０２  制御装置
２０３  記憶媒体
【図１】
2020064346.tif 000003
【図２】
2020064346.tif 000004
【図３】
2020064346.tif 000005
【図４】
2020064346.tif 000006
【図５】
2020064346.tif 000007
【図６】
2020064346.tif 000008
【図７】
2020064346.tif 000009
【図８】
2020064346.tif 000010
【図９】
2020064346.tif 000011
【図１０】
2020064346.tif 000012
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
操作者の心拍数を計測可能なマウスが接続された操作用端末と、前記操作用端末から情報を受信して処理を実行する情報処理装置とで構成される情報処理システムであって、
前記操作用端末は、
操作者による前記マウスの操作に関する操作情報を取得する操作情報取得手段と、
前記マウスで取得された操作者の心拍数データと、前記操作情報取得手段によって取得された前記操作情報とを関連付けた作業情報を前記情報処理装置へ送信する作業情報送信手段と、
操作者からの指示に基づいて、前記情報処理装置へ操作者による前記マウスを用いた作業内容を示す作業報告の出力を指示する出力指示手段とを備え、
前記情報処理装置は、
前記操作用端末から前記作業情報を受信して記憶媒体に記録する記録手段と、
前記操作用端末から前記作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを、作業報告用グラフとして生成するグラフ生成手段と、
前記グラフ生成手段によって生成された前記作業報告用のグラフのデータを前記操作用端末へ送信するグラフ情報送信手段とを備え、
前記心拍グラフは、横軸に日付、縦軸に心拍数をとり、日ごとの計測開始時の心拍数、計測終了時の心拍数、心拍数の最大値、および心拍数の最小値を一つのグラフにまとめて表示することを特徴とする情報処理システム。
【請求項２】
請求項１に記載の情報処理システムにおいて、
前記操作用端末は、前記情報処理装置から受信した前記作業報告用のグラフのデータに基づいて、表示装置に前記作業報告用のグラフを出力して表示するグラフ表示手段をさらに備えることを特徴とする情報処理システム。
【請求項３】
請求項１または２に記載の情報処理システムにおいて、
前記出力指示手段は、操作者からグラフの出力対象とする期間の指定も受け付け、
前記グラフ生成手段は、前記記憶媒体に記録されている前記作業情報のうち、指定された期間のデータを対象として、前記作業報告用のグラフを生成することを特徴とする情報処理システム。
【請求項４】
請求項１〜３のいずれか一項に記載の情報処理システムにおいて、
前記クリックグラフは、前記マウスが備える各ボタンのクリック数と、全ボタンのクリック数の合計を日ごと集計して表示したグラフであることを特徴とする情報処理システム。
【請求項５】
請求項１〜４のいずれか一項に記載の情報処理システムにおいて、
前記カーソルグラフは、画面上でのマウスカーソルの移動距離を日ごと集計して表示したグラフであることを特徴とする情報処理システム。
【請求項６】
請求項１〜５のいずれか一項に記載の情報処理システムにおいて、
前記グラフ生成手段は、前記心拍グラフ、前記クリックグラフ、前記カーソルグラフのうち、操作者によって選択された１つのグラフを生成することを特徴とする情報処理システム。
【請求項７】
操作者の心拍数を計測可能なマウスが接続された操作用端末から、操作者による前記マウスの操作に関する操作情報と、前記マウスで取得された操作者の心拍数データとを関連付けた作業情報を受信して記憶媒体に記録する記録手段と、
前記操作用端末から前記作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、
前記グラフ生成手段によって生成された前記作業報告用のグラフのデータを前記操作用端末へ送信するグラフ情報送信手段とを備え、
前記心拍グラフは、横軸に日付、縦軸に心拍数をとり、日ごとの計測開始時の心拍数、計測終了時の心拍数、心拍数の最大値、および心拍数の最小値の日を一つのグラフにまとめて表示することを特徴とする情報処理装置。
【請求項８】
請求項７に記載の情報処理装置において、
前記グラフ生成手段は、前記記憶媒体に記録されている前記作業情報のうち、操作者によって指定された期間のデータを対象として、前記作業報告用のグラフを生成することを特徴とする情報処理装置。
【請求項９】
請求項７または８に記載の情報処理装置において、
前記クリックグラフは、前記マウスが備える各ボタンのクリック数と、全ボタンのクリック数の合計を日ごと集計して表示したグラフであることを特徴とする情報処理装置。
【請求項１０】
請求項７〜９のいずれか一項に記載の情報処理装置において、
前記カーソルグラフは、画面上でのマウスカーソルの移動距離を日ごと集計して表示したグラフであることを特徴とする情報処理装置。
【請求項１１】
請求項７〜１０のいずれか一項に記載の情報処理装置において、
前記グラフ生成手段は、前記心拍グラフ、前記クリックグラフ、前記カーソルグラフのうち、操作者によって選択された１つのグラフを生成することを特徴とする情報処理装置。
【請求項１２】
操作者の心拍数を計測可能なマウスが接続された操作用端末から、操作者による前記マウスの操作に関する操作情報と、前記マウスで取得された操作者の心拍数データとを関連付けた作業情報を受信して記憶媒体に記録する記録手順と、
前記操作用端末から前記作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手順と、
前記グラフ生成手順で生成した前記作業報告用のグラフのデータを前記操作用端末へ送信するグラフ情報送信手順とをコンピュータに実行させるための情報処理プログラムであって、
前記心拍グラフは、横軸に日付、縦軸に心拍数をとり、日ごとの計測開始時の心拍数、計測終了時の心拍数、心拍数の最大値、および心拍数の最小値を一つのグラフにまとめて表示することを特徴とする情報処理プログラム。
【請求項１３】
請求項１２に記載の情報処理プログラムにおいて、
前記グラフ生成手順は、前記記憶媒体に記録されている前記作業情報のうち、操作者によって指定された期間のデータを対象として、前記作業報告用のグラフを生成することを特徴とする情報処理プログラム。
【請求項１４】
請求項１２または１３に記載の情報処理プログラムにおいて、
前記クリックグラフは、前記マウスが備える各ボタンのクリック数と、全ボタンのクリック数の合計を日ごと集計して表示したグラフであることを特徴とする情報処理プログラム。
【請求項１５】
請求項１２〜１４のいずれか一項に記載の情報処理プログラムにおいて、
前記カーソルグラフは、画面上でのマウスカーソルの移動距離を日ごと集計して表示したグラフであることを特徴とする情報処理プログラム。
【請求項１６】
請求項１２〜１５のいずれか一項に記載の情報処理プログラムにおいて、
前記グラフ生成手順は、前記心拍グラフ、前記クリックグラフ、前記カーソルグラフのうち、操作者によって選択された１つのグラフを生成することを特徴とする情報処理プログラム。
【手続補正２】
【補正対象書類名】明細書
【補正対象項目名】０００５
【補正方法】変更
【補正の内容】
【０００５】
本発明による情報処理システムは、操作者の心拍数を計測可能なマウスが接続された操作用端末と、操作用端末から情報を受信して処理を実行する情報処理装置とで構成される情報処理システムであって、操作用端末は、操作者によるマウスの操作に関する操作情報を取得する操作情報取得手段と、マウスで取得された操作者の心拍数データと、操作情報取得手段によって取得された操作情報とを関連付けた作業情報を情報処理装置へ送信する作業情報送信手段と、操作者からの指示に基づいて、情報処理装置へ操作者によるマウスを用いた作業内容を示す作業報告の出力を指示する出力指示手段とを備え、情報処理装置は、操作用端末から作業情報を受信して記憶媒体に記録する記録手段と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、グラフ生成手段によって生成された作業報告用のグラフのデータを操作用端末へ送信するグラフ情報送信手段とを備え、心拍グラフは、横軸に日付、縦軸に心拍数をとり、日ごとの計測開始時の心拍数、計測終了時の心拍数、心拍数の最大値、および心拍数の最小値を一つのグラフにまとめて表示することを特徴とする。
本発明による情報処理装置は、操作者の心拍数を計測可能なマウスが接続された操作用端末から、操作者によるマウスの操作に関する操作情報と、マウスで取得された操作者の心拍数データとを関連付けた作業情報を受信して記憶媒体に記録する記録手段と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、グラフ生成手段によって生成された作業報告用のグラフのデータを操作用端末へ送信するグラフ情報送信手段とを備え、心拍グラフは、横軸に日付、縦軸に心拍数をとり、日ごとの計測開始時の心拍数、計測終了時の心拍数、心拍数の最大値、および心拍数の最小値を一つのグラフにまとめて表示することを特徴とする。
本発明による情報処理プログラムは、操作者の心拍数を計測可能なマウスが接続された操作用端末から、操作者によるマウスの操作に関する操作情報と、マウスで取得された操作者の心拍数データとを関連付けた作業情報を受信して記憶媒体に記録する記録手順と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１ちを作業報告用グラフとして生成するグラフ生成手順と、グラフ生成手順で生成した作業報告用のグラフのデータを操作用端末へ送信するグラフ情報送信手順とをコンピュータに実行させ、心拍グラフは、横軸に日付、縦軸に心拍数をとり、日ごとの計測開始時の心拍数、計測終了時の心拍数、心拍数の最大値、および心拍数の最小値を一つのグラフにまとめて表示することを特徴とする。
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
操作者の心拍数を計測可能なマウスが接続された操作用端末と、前記操作用端末から情報を受信して処理を実行する情報処理装置とで構成される情報処理システムであって、
前記操作用端末は、
操作者による前記マウスの操作に関する操作情報を取得する操作情報取得手段と、
前記マウスで取得された操作者の心拍数データと、前記操作情報取得手段によって取得された前記操作情報とを関連付けた作業情報を前記情報処理装置へ送信する作業情報送信手段と、
操作者からの指示に基づいて、前記情報処理装置へ操作者による前記マウスを用いた作業内容を示す作業報告の出力を指示する出力指示手段とを備え、
前記情報処理装置は、
前記操作用端末から前記作業情報を受信して記憶媒体に記録する記録手段と、
前記操作用端末から前記作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを、作業報告用グラフとして生成するグラフ生成手段と、
前記グラフ生成手段によって生成された前記作業報告用のグラフのデータを前記操作用端末へ送信するグラフ情報送信手段とを備え、
前記心拍グラフは、横軸に日付、縦軸に心拍数をとり、日ごとの計測開始時の心拍数、計測終了時の心拍数、心拍数の最大値、および心拍数の最小値の変動状況を一つのグラフにまとめて表示することを特徴とする情報処理システム。
【請求項２】
請求項１に記載の情報処理システムにおいて、
前記操作用端末は、前記情報処理装置から受信した前記作業報告用のグラフのデータに基づいて、表示装置に前記作業報告用のグラフを出力して表示するグラフ表示手段をさらに備えることを特徴とする情報処理システム。
【請求項３】
請求項１または２に記載の情報処理システムにおいて、
前記出力指示手段は、操作者からグラフの出力対象とする期間の指定も受け付け、
前記グラフ生成手段は、前記記憶媒体に記録されている前記作業情報のうち、指定された期間のデータを対象として、前記作業報告用のグラフを生成することを特徴とする情報処理システム。
【請求項４】
請求項１〜３のいずれか一項に記載の情報処理システムにおいて、
前記クリックグラフは、前記マウスが備える各ボタンのクリック数と、全ボタンのクリック数の合計を日ごと集計して表示したグラフであることを特徴とする情報処理システム。
【請求項５】
請求項１〜４のいずれか一項に記載の情報処理システムにおいて、
前記カーソルグラフは、画面上でのマウスカーソルの移動距離を日ごと集計して表示したグラフであることを特徴とする情報処理システム。
【請求項６】
請求項１〜５のいずれか一項に記載の情報処理システムにおいて、
前記グラフ生成手段は、前記心拍グラフ、前記クリックグラフ、前記カーソルグラフのうち、操作者によって選択された１つのグラフを生成することを特徴とする情報処理システム。
【請求項７】
操作者の心拍数を計測可能なマウスが接続された操作用端末から、操作者による前記マウスの操作に関する操作情報と、前記マウスで取得された操作者の心拍数データとを関連付けた作業情報を受信して記憶媒体に記録する記録手段と、
前記操作用端末から作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、
前記グラフ生成手段によって生成された前記作業報告用のグラフのデータを前記操作用端末へ送信するグラフ情報送信手段とを備え、
前記心拍グラフは、横軸に日付、縦軸に心拍数をとり、日ごとの計測開始時の心拍数、計測終了時の心拍数、心拍数の最大値、および心拍数の最小値の変動状況を一つのグラフにまとめて表示することを特徴とする情報処理装置。
【請求項８】
請求項７に記載の情報処理装置において、
前記グラフ生成手段は、前記記憶媒体に記録されている前記作業情報のうち、操作者によって指定された期間のデータを対象として、前記作業報告用のグラフを生成することを特徴とする情報処理装置。
【請求項９】
請求項７または８に記載の情報処理装置において、
前記クリックグラフは、前記マウスが備える各ボタンのクリック数と、全ボタンのクリック数の合計を日ごと集計して表示したグラフであることを特徴とする情報処理装置。
【請求項１０】
請求項７〜９のいずれか一項に記載の情報処理装置において、
前記カーソルグラフは、画面上でのマウスカーソルの移動距離を日ごと集計して表示したグラフであることを特徴とする情報処理装置。
【請求項１１】
請求項７〜１０のいずれか一項に記載の情報処理装置において、
前記グラフ生成手段は、前記心拍グラフ、前記クリックグラフ、前記カーソルグラフのうち、操作者によって選択された１つのグラフを生成することを特徴とする情報処理装置。
【請求項１２】
操作者の心拍数を計測可能なマウスが接続された操作用端末から、操作者による前記マウスの操作に関する操作情報と、前記マウスで取得された操作者の心拍数データとを関連付けた作業情報を受信して記憶媒体に記録する記録手順と、
前記操作用端末から作業報告の出力が指示されたときに、前記記憶媒体に記録されている前記作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手順と、
前記グラフ生成手順で生成した前記作業報告用のグラフのデータを前記操作用端末へ送信するグラフ情報送信手順とをコンピュータに実行させるための情報処理プログラムであって、
前記心拍グラフは、横軸に日付、縦軸に心拍数をとり、日ごとの計測開始時の心拍数、計測終了時の心拍数、心拍数の最大値、および心拍数の最小値の変動状況を一つのグラフにまとめて表示することを特徴とする情報処理プログラム。
【請求項１３】
請求項１２に記載の情報処理プログラムにおいて、
前記グラフ生成手順は、前記記憶媒体に記録されている前記作業情報のうち、操作者によって指定された期間のデータを対象として、前記作業報告用のグラフを生成することを特徴とする情報処理プログラム。
【請求項１４】
請求項１２または１３に記載の情報処理プログラムにおいて、
前記クリックグラフは、前記マウスが備える各ボタンのクリック数と、全ボタンのクリック数の合計を日ごと集計して表示したグラフであることを特徴とする情報処理プログラム。
【請求項１５】
請求項１２〜１４のいずれか一項に記載の情報処理プログラムにおいて、
前記カーソルグラフは、画面上でのマウスカーソルの移動距離を日ごと集計して表示したグラフであることを特徴とする情報処理プログラム。
【請求項１６】
請求項１２〜１５のいずれか一項に記載の情報処理プログラムにおいて、
前記グラフ生成手順は、前記心拍グラフ、前記クリックグラフ、前記カーソルグラフのうち、操作者によって選択された１つのグラフを生成することを特徴とする情報処理プログラム。
【手続補正２】
【補正対象書類名】明細書
【補正対象項目名】０００５
【補正方法】変更
【補正の内容】
【０００５】
本発明による情報処理システムは、操作者の心拍数を計測可能なマウスが接続された操作用端末と、操作用端末から情報を受信して処理を実行する情報処理装置とで構成される情報処理システムであって、操作用端末は、操作者によるマウスの操作に関する操作情報を取得する操作情報取得手段と、マウスで取得された操作者の心拍数データと、操作情報取得手段によって取得された操作情報とを関連付けた作業情報を情報処理装置へ送信する作業情報送信手段と、操作者からの指示に基づいて、情報処理装置へ操作者によるマウスを用いた作業内容を示す作業報告の出力を指示する出力指示手段とを備え、情報処理装置は、操作用端末から作業情報を受信して記憶媒体に記録する記録手段と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、グラフ生成手段によって生成された作業報告用のグラフのデータを操作用端末へ送信するグラフ情報送信手段とを備え、心拍グラフは、横軸に日付、縦軸に心拍数をとり、日ごとの計測開始時の心拍数、計測終了時の心拍数、心拍数の最大値、および心拍数の最小値の変動状況を一つのグラフにまとめて表示することを特徴とする。
本発明による情報処理装置は、操作者の心拍数を計測可能なマウスが接続された操作用端末から、操作者によるマウスの操作に関する操作情報と、マウスで取得された操作者の心拍数データとを関連付けた作業情報を受信して記憶媒体に記録する記録手段と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手段と、グラフ生成手段によって生成された作業報告用のグラフのデータを操作用端末へ送信するグラフ情報送信手段とを備え、心拍グラフは、横軸に日付、縦軸に心拍数をとり、日ごとの計測開始時の心拍数、計測終了時の心拍数、心拍数の最大値、および心拍数の最小値の変動状況を一つのグラフにまとめて表示することを特徴とする。
本発明による情報処理プログラムは、操作者の心拍数を計測可能なマウスが接続された操作用端末から、操作者によるマウスの操作に関する操作情報と、マウスで取得された操作者の心拍数データとを関連付けた作業情報を受信して記憶媒体に記録する記録手順と、操作用端末から作業報告の出力が指示されたときに、記憶媒体に記録されている作業情報に基づいて、操作者の心拍数の変動状況を示す心拍グラフ、操作者のクリック数の変動状況を示すクリックグラフ、マウスカーソル移動距離の変動状況を示すカーソルグラフの少なくとも１つを作業報告用グラフとして生成するグラフ生成手順と、グラフ生成手順で生成した作業報告用のグラフのデータを操作用端末へ送信するグラフ情報送信手順とをコンピュータに実行させ、心拍グラフは、横軸に日付、縦軸に心拍数をとり、日ごとの計測開始時の心拍数、計測終了時の心拍数、心拍数の最大値、および心拍数の最小値の変動状況を一つのグラフにまとめて表示することを特徴とする。